(57)【要約】      （修正有）【課題】簡素かつ堅牢な機構で低廉に作製でき家庭用としても設置可能な観覧車型多機能物置を提供する。【解決手段】観覧車型多機能物置１は、長手方向の中央に作用点２ａ〜２ｄを有し、端部同士が接続点３ａ〜３ｄにより接続されて等辺四角形の環状体４を形成する４本のリンクと、リンクの長さと略同一長で、垂直方向に平行に配され、接続点の昇降をガイドするための一対の垂直ガイド６ａ〜６ｂと、一対の垂直ガイド間の中央に中心点Ｓが位置するように配されリンクの長さと略同一径を有し環状体の回転に伴う作用点の円弧運動をガイドするための円形ガイド７とを備えた環状体回動機構８が正面側および背面側に鏡面配置され、水平位置において相対向する環状体の接続点２間に物置用ケージ９ａ〜９ｄの上部がそれぞれ回動自在に取り付けられると共に、環状体を回動させるための回転駆動手段１０が設けられている。【選択図】図１
0003173387.tif 000002
【実用新案登録請求の範囲】
【請求項１】
長手方向の中央に作用点を有し端部同士が接続点により接続されて等辺四角形の環状体を形成する４本のリンクと、
前記リンクの長さと略同一長でかつ前記リンクの長さと略同一距離離間して垂直方向に平行に配され前記環状体の回動に伴う前記接続点の昇降をガイドするための一対の垂直ガイドと、
前記一対の垂直ガイド間の中央に中心点が位置するように配され前記リンクの長さと略同一径を有し前記環状体の回転に伴う前記作用点の円弧運動をガイドするための円形ガイドとを備えた環状体回動機構が正面側および背面側に鏡面配置され、
水平位置において相対向する前記環状体の前記接続点間に物置用ケージの上部がそれぞれ回動自在に取り付けられると共に、前記環状体を回動させるための回転駆動手段が設けられていることを特徴とする観覧車型多機能物置。
【考案の詳細な説明】
【技術分野】
【０００１】
本考案は、リンク機構によりケージを観覧車型式に循環させて使用することができる観覧車型多機能物置に関するものである。
【背景技術】
【０００２】
近年、世界各地で水害の被害が報告されており、住居、工場または自動車などへの浸水により多大な損害が発生している。このような水害に対しては、空中に自動車や家財等の物品を移動させることができる観覧車型物置が有効と考えられる。
【０００３】
また、一般家庭でも車を複数台所有することが多く、それらの駐車場スペースの確保が懸案となっており、さらに、限られた設置スペースで多量の物品を保管できる物置が嘱望されている。
【０００４】
そして、従来より、複数個のケージを観覧車型式に循環させて使用する装置が種々提案されている。例えばそのようなものとして、特公平８−２６６８５号公報のリンク式立体駐車装置などがある。
【先行技術文献】
【特許文献】
【０００５】
【特許文献１】特公平８−２６６８５号公報
【考案の概要】
【考案が解決しようとする課題】
【０００６】
しかし、特公平８−２６６８５号公報等の観覧車型循環装置は機構的に複雑で高価なものとなり、特に家庭用としては設置が困難であった。
そこで、本考案の課題は、簡素かつ堅牢な機構で低廉に作製でき家庭用としても設置可能な観覧車型多機能物置を提供することにある。
【課題を解決するための手段】
【０００７】
上記課題を解決するものは、長手方向の中央に作用点を有し端部同士が接続点により接続されて等辺四角形の環状体を形成する４本のリンクと、前記リンクの長さと略同一長でかつ前記リンクの長さと略同一距離離間して垂直方向に平行に配され前記環状体の回転に伴う前記接続点の昇降をガイドするための一対の垂直ガイドと、前記一対の垂直ガイド間の中央に中心点が位置するように配され前記リンクの長さと略同一径を有し前記環状体の回転に伴う前記作用点の円弧運動をガイドするための円形ガイドとを備えた環状体回動機構が正面側および背面側に鏡面配置され、水平位置において相対向する前記環状体の前記接続点間に物置用ケージの上部がそれぞれ回動自在に取り付けられると共に、前記環状体を回動させるための回転駆動手段が設けられていることを特徴とする観覧車型多機能物置である。
【考案の効果】
【０００８】
請求項１に記載した考案によれば、簡素かつ堅牢な機構で低廉に作製でき家庭用としても設置可能な観覧車型多機能物置となる。
【図面の簡単な説明】
【０００９】
【図１】本考案の観覧車型多機能物置の一実施例の正面概略図である。
【図２】図１のＡ―Ａ線矢視平面図である。
【図３】図１に示した観覧車型多機能物置の作用を説明するための正面概略図である。
【考案を実施するための形態】
【００１０】
本考案は、長手方向の中央に作用点２を有し端部同士が接続点３により接続されて等辺四角形の環状体４を形成する４本のリンク５と、リンク５の長さと略同一長でかつリンク５の長さと略同一距離離間して垂直方向に平行に配され環状体４の回動に伴う接続点３の昇降をガイドするための一対の垂直ガイド６と、一対の垂直ガイド６間の中央に中心点Ｓが位置するように配されリンク５の長さと略同一径を有し環状体４の回転に伴う作用点２の円弧運動をガイドするための円形ガイド７とを備えた環状体回動機構８が正面側および背面側に鏡面配置され、水平位置において相対向する環状体４の接続点２間に物置用ケージ９の上部をそれぞれ回動自在に取り付け、環状体４を回動させるための回転駆動手段１０を設けたことで、簡素かつ堅牢な機構で低廉に作製でき家庭用としても設置可能な観覧車型多機能物置１を実現した。
【実施例１】
【００１１】
本考案の観覧車型多機能物置を図１ないし図３に示した一実施例を用いて説明する。
この実施例の観覧車型多機能物置１は、図１に示すように、長手方向の中央に作用点２ａ，２ｂ，２ｃ，２ｄを有し端部同士が接続点３ａ，３ｂ，３ｃ，３ｄにより接続されて等辺四角形の環状体４を形成する４本のリンク５ａ，５ｂ，５ｃ，５ｄと、リンク５ａ，５ｂ，５ｃ，５ｄの長さと略同一長でかつリンク５ａ，５ｂ，５ｃ，５ｄの長さと略同一距離離間して垂直方向に平行に配され環状体４の回動に伴う接続点３ａ，３ｂ，３ｃ，３ｄの昇降をガイドするための一対の垂直ガイド６ａ，６ｂと、一対の垂直ガイド６ａ，６ｂ間の中央に中心点Ｓが位置するように配されリンク５ａ，５ｂ，５ｃ，５ｄの長さと略同一径を有し環状体４の回転に伴う作用点２ａ，２ｂ，２ｃ，２ｄの円弧運動をガイドするための円形ガイド７とを備えた環状体回動機構８が正面側および背面側に鏡面配置され、水平位置において相対向する環状体４の接続点２ａ，２ｂ，２ｃ，２ｄ間に物置用ケージ９ａ，９ｂ，９ｃ，９ｄの上部がそれぞれ回動自在に取り付けられると共に、環状体４を回動させるための回転駆動手段１０が設けられている。以下、各構成について順次詳述する。
【００１２】
この実施例の観覧車型多機能物置１は、４つの物置用ケージ９ａ，９ｂ，９ｃ，９ｄ内に自家用車や家財などを収容し、ガレージまたは物置として宅地内に立設配置して使用するものである。
【００１３】
リンク５ａ，５ｂ，５ｃ，５ｄは、４つの物置用ケージ９ａ，９ｂ，９ｃ，９ｄを回動するためのものであり、同一長さ（ａ）の金属製長尺材にて構成されている。
【００１４】
リンク５ａ，５ｂ，５ｃ，５ｄの長手方向の中央（１／２ａの位置）には、それぞれ作用点２ａ，２ｂ，２ｃ，２ｄが設けられている。これら作用点２ａ，２ｂ，２ｃ，２ｄはリンク５ａ，５ｂ，５ｃ，５ｄに回動可能に設けられたローラーから構成されており、円形ガイド７内を回転しながら移動する。
【００１５】
リンク５ａ，５ｂ，５ｃ，５ｄは、端部同士が接続点３ａ，３ｂ，３ｃ，３ｄにより接続されて等辺四角形（一辺がａの四角形）の環状体４を形成している。これら接続点３ａ，３ｂ，３ｃ，３ｄは、リンク５ａ，５ｂ，５ｃ，５ｄの端部に回動可能に設けられたローラーから構成されており、一対の垂直ガイド６ａ，６ｂ内を回転しながら昇降移動する。
【００１６】
垂直ガイド６ａ，６ｂは、環状体４の回動に伴う接続点３ａ，３ｂ，３ｃ，３ｄの昇降をガイドするためのものであり、リンク５ａ，５ｂ，５ｃ，５ｄの長さ（ａ）と略同一長（ａ）でかつリンク５ａ，５ｂ，５ｃ，５ｄの長さ（ａ）と略同一距離（ａ）離間して垂直方向に平行に配されている。
【００１７】
円形ガイド７は、環状体４の回転に伴う作用点２ａ，２ｂ，２ｃ，２ｄの円弧運動をガイドするためのものであり、図１に示すように、一対の垂直ガイド６ａ，６ｂ間の中央（図１中、垂直ガイド６ａ，６ｂ間において上下左右共に１／２ａの位置：換言すれば、一対の垂直ガイド６ａ，６ｂの対角線の交点）に中心点Ｓが位置するように配され、リンク５ａ，５ｂ，５ｃ，５ｄの長さ（ａ）と略同一径（ａ）を有して垂直ガイド６ａ，６ｂに固定されている。
【００１８】
そして、これらリンク５ａ，５ｂ，５ｃ，５ｄからなる環状体４と、垂直ガイド６ａ，６ｂと、円形ガイド７とを備えた環状体回動機構８が、図２に示すように、正面側および背面側に鏡面配置されて、正面側および背面側にそれぞれ配された環状体４が同期して回動可能に構成されている。
【００１９】
また、水平位置において相対向する環状体４の接続点２ａ，２ｂ，２ｃ，２ｄ間には、物置用ケージ９ａ，９ｂ，９ｃ，９ｄの上部がそれぞれ回動自在に取り付けられ、環状体４の回動に伴って、物置用ケージ９ａ，９ｂ，９ｃ，９ｄが回動するように構成されている。
【００２０】
回転駆動手段１０は、環状体４を回動させるためのものであり、この実施例では、環状体４の外周に巻回されるチェーン１１と、チェーン１１を掛装する第１ローラー１２および第２ローラー１３と、第２ローラー１３を回動させるためのモーター１４とから構成されている。
【００２１】
具体的には、この回転駆動手段１０では、環状体４の外周に巻回され固定されたチェーン１１が、垂直ガイド６ａ内を通り、第１ローラー１２および第２ローラー１３に掛装され、垂直ガイド６ｂ内を通り、さらに、環状体４の外周に巻回されている。この状態でモーター１４を正逆駆動すると、チェーン１１が引張されて環状体４が時計回り或いは反時計回りに回動するように構成されている。
【００２２】
なお、この実施例では環状体４を回動させる牽引部材としてチェーンが使用されているが、これに限定されるものではなく、環状体４を回動させることができるものであればどのようなものでもよく、例えばワイヤーなどが使用されていてもよい。また、この実施例の回転駆動手段１０は、モーター１４により回転駆動させているが、これに限定されるものではなく、環状体４を回動させるチェーンなどの牽引部材の端部を引張する手動式のものも本発明の範疇に包含される。これにより、さらに低廉に本発明の観覧車型多機能物置を作製できる。
【００２３】
つぎに、本発明の観覧車型多機能物置１の使用方法について説明する。
観覧車型多機能物置１を使用するには、まず、自家用車や家財などを物置用ケージ９ａ，９ｂ，９ｃ，９ｄ内にそれぞれ収容させる。具体的には、図１に示すように、物置用ケージ９ａ，９ｂ，９ｃ，９ｄのうちの一つを地上に接地させて、接地させた物置用ケージ内に自家用車や家財などを運び入れて収容する。
【００２４】
物置用ケージ９ｄ内への収容が完了したら、モーター１４を駆動させ、例えば時計回りに環状体４を回転させ、次位の物置用ケージ９ｃを接地させ、自家用車や家財などを運び入れて収容する。この動作を繰り返して、物置用ケージ９ｂ、物置用ケージ９ａを順次接地させ、接地させた物置用ケージ９ｂ、物置用ケージ９ａ内に自家用車や家財などを運び入れて収容する。
【００２５】
この時の環状体回動機構８による動作を説明すると、モーター１４によってチェーン１１が牽引されると環状体４が回転する。この環状体４の回転により、接続点３ａ，３ｂ，３ｃ，３ｄはそれぞれ垂直ガイド６ａ，６ｂ内を誘導されて、図１の想像線Ｑの軌道に沿って移動する。他方、作用点２ａ，２ｂ，２ｃ，２ｄは、円形ガイド７内を円弧を描くように円運動する。このような動作の中で、環状体４は、図１に示したような正面視菱形への変形、図３に示したような正面視正方形への変形を繰り返して、物置用ケージ９ａ，９ｂ，９ｃ，９ｄを想像線Ｑの軌道に沿って移動させる。なお、図３は、図１の状態から環状体４を時計回りに４５゜回転させた状態を示す図である。
【００２６】
このように、本発明の観覧車型多機能物置１は、垂直ガイド６ａ，６ｂによって接続点３ａ，３ｂ，３ｃ，３ｄが誘導され、円形ガイド７内によって作用点２ａ，２ｂ，２ｃ，２ｄが誘導されることにより、物置用ケージ９ａ，９ｂ，９ｃ，９ｄを想像線Ｑの軌道に沿って循環させることができ、敷地内の小さなスペースに設置することができると共に、簡素かつ堅牢な機構で低廉に作製でき家庭用としても設置可能な観覧車型多機能物置に構成されている。
【００２７】
なお、図１ないし図３では、垂直ガイド６ａ，６ｂおよびそれに固定された円形ガイド７を空中に固定配置するための支持機構を省略しているが、垂直ガイド６ａ，６ｂおよび円形ガイド７は、図１に示すように、支持機構（図示しない）により、物置用ケージ９ａ，９ｂ，９ｃ，９ｄが地面付近に位置可能な高さに固定されている。
【００２８】
また、この実施例の物置用ケージ９ａ，９ｂ，９ｃ，９ｄは、自家用車を収容可能な大きさに構成されており、図１ないし図３に示すように、略自家用車二台分のスペースに設置可能に構成されている。
【００２９】
そして、物置用ケージ９ａ，９ｂ，９ｃ，９ｄ内の収容物を取り出す場合は、モーター１４を駆動させて環状体４を回動させ、所望の物置用ケージ９ａ，９ｂ，９ｃ，９ｄのいずれかを図１のように接地させて取り出すことができる。また、水害が発生した場合など、収容物が浸水するおそれがある場合は、図３のように、モーター１４を駆動させて環状体４を回動させ、物置用ケージ９ａ，９ｂ，９ｃ，９ｄのいずれもが空中に位置するように移動させ、浸水を回避することもできる。さらに、物置用ケージ９ａ，９ｂ，９ｃ，９ｄのいずれかに生活に必要な家財を配備し生活空間として使用したり、その物置用ケージを空中に位置させて水害が生じた場合の待避所として使用することも可能である。
【符号の説明】
【００３０】
１    観覧車型多機能物置
２    作用点
３    接続点
４    環状体
５    リンク
６    垂直ガイド
７    円形ガイド
８    環状体回動機構
９    物置用ケージ
１０  回転駆動手段
１１  チェーン
１２  第１ローラー
１３  第２ローラー
１４  モーター
【図１】
0003173387.tif 000003
【図２】
0003173387.tif 000004
【図３】
0003173387.tif 000005